(57)【要約】【課題】狭い収納空間内に容易にシャワーホースを収納することができるシャワーホース収納装置を提供することを目的とする。特に、シャワーホース長が長い場合においても、シャワーホースの引き出し、収納の作業が行いやすいシャワーホース収納装置を提供することを目的とする。【解決手段】湯水供給部にシャワーホースの一端部を接続し、吐水具にシャワーホースの他端部を接続し、シャワーホース収納部に形成したシャワーホース取出口からこのシャワーホースを収納および引き出して吐水具から吐水可能にしたシャワーホース収納装置において、シャワーホース長の中間部をガイドするガイド部をシャワーホース収納部内に配置し、さらに、このガイド部とシャワーホース取出口との間に位置するシャワーホースにはストッパーが付加されていることを特徴とするシャワーホース収納装置とした。【選択図】  図２
2004229842.tif 000002
【特許請求の範囲】
【請求項１】
湯水供給部にシャワーホースの一端部を接続し、吐水具にシャワーホースの他端部を接続し、シャワーホース収納部に形成したシャワーホース取出口からこのシャワーホースを収納および引き出して吐水具から吐水可能にしたシャワーホース収納装置において、
シャワーホース長の中間部をガイドするガイド部をシャワーホース収納部内に配置し、さらに、このガイド部とシャワーホース取出口との間に位置するシャワーホースにはストッパーが付加されていることを特徴とするシャワーホース収納装置。
【請求項２】
前記ガイド部とシャワーホース取出口との間に位置するシャワーホースは、トレイ内に収納され、ガイド部と湯水供給部との間に位置するシャワーホースには付勢手段が付加されていることを特徴とする請求項１に記載のシャワーホース収納装置。
【請求項３】
前記ガイド部は、２軸方向に回転自在に形成していることを特徴とする請求項１または２に記載のシャワーホース収納装置。
【発明の詳細な説明】
【０００１】
【発明の属する技術分野】
本発明は、浴室および洗面所などに設置するシャワーホース引き出しタイプの湯水供給部に用いるシャワーホース収納装置に関するものである。
【０００２】
【従来の技術】
従来の浴室に設置されるシャワーホースの収納装置においては、シャワーホースを引き出したあと、そのシャワーホースを収納するのに、シャワーホースの自由落下に頼っていた。
この自由落下によりシャワーホースを収納するという従来技術は、シャワーホース収納部（たとえばカウンター下）の設置高さが十分に得られない場合、シャワーホースを長くしてしまうと、収納時にシャワーホースがすぐに収納部の底面にあたってしまい、シャワーホースが曲がるのに十分な距離が得られず、つっぱった状態になってしまうという理由により、シャワーホースをスムーズに収納することが困難となってしまうため、十分なシャワーホース引き出し長さがとれないという問題がある。
そこで、十分なシャワーホース引出し長さがとれるようにシャワーホースを収納しやすくする提案がなされている。
たとえば、先行技術においては、収納部内壁の形状を丸くするなどしてシャワーホースの抵抗を少なくしている。また、シャワーホースを螺旋状に納めるために旋回ガイドを設けたり、ばねにより強制的に引っ張ったりしている（たとえば、特許文献１を参照のこと）。
また、別の先行技術においては、収納時に必ず、小さなループができるようにし、そのループを膨らませながらトレイに収納させている（たとえば、特許文献２を参照のこと）。
【０００３】
【特許文献１】
特開平９−１７７１５号公報
【特許文献２】
特開２００１−３５２号公報
【０００４】
【発明が解決しようとする課題】
しかしながら、いずれの先行技術においても、狭い収納空間内にシャワーホースを収納する際に、シャワーホースを取り廻すだけの平面部が必要であったり、狭い空間では、特有のシャワーホースのねじれやあばれを矯正できず、引き出しや収納が依然として容易にできるものではなかった。
そこで、本発明では、上記の問題点を解決するため、狭い収納空間内に容易にシャワーホースを収納することができるシャワーホース収納装置を提供することを目的とする。特に、シャワーホース長が長い場合においても、シャワーホースの引き出し、収納の作業が行いやすいシャワーホース収納装置を提供することを目的とする。
【０００５】
【課題を解決するための手段】
第１の発明では、湯水供給部にシャワーホースの一端部を接続し、吐水具にシャワーホースの他端部を接続し、シャワーホース収納部に形成したシャワーホース取出口からこのシャワーホースを収納および引き出して吐水具から吐水可能にしたシャワーホース収納装置において、
シャワーホース長の中間部をガイドするガイド部をシャワーホース収納部内に配置し、さらに、このガイド部とシャワーホース取出口との間に位置するシャワーホースにはストッパーが付加されていることを特徴とするシャワーホース収納装置とした。
【０００６】
これにより、シャワーホースを引き出す際、ある一定の長さを引き出すと、シャワーホースに付加したストッパーがシャワーホース取出口に当たり、無理な引き出しによる前記ガイド部への負荷を軽減する。また、シャワーホースを収納する際、ガイド部を中心にループ状にシャワーホースを収納することができ、さらには、ストッパーを付加することで、湯水供給部とガイド部との間のシャワーホース長がある一定の長さ以上にならないため、収納時のループ形状が長く垂れ下がるおそれがなく、シャワーシャワーホース収納装置内に収まりやすい。
【０００７】
第２の発明では、前記ガイド部とシャワーホース取出口との間に位置するシャワーホースは、トレイ内に収納され、ガイド部と湯水供給部との間に位置するシャワーホースには付勢手段が付加されていることを特徴とする請求項１に記載のシャワーホース収納装置とした。
【０００８】
これにより、シャワーホース収納の際に、まず、付勢手段の付勢力により、ガイド部と湯水供給部との間に位置するようにシャワーホースがシャワーホース収納装置内に収納されていく。
そして、所定の長さ収納されるとストッパーがガイド部に当たり、それ以上はシャワーホースがガイド部より先に収納されなくなり、ガイド部とシャワーホース取出口との間に位置するトレイ内にシャワーホースは収納されていく。
このように２段階にシャワーホースが収納されるため、シャワーホース長を長くした場合においても容易にシャワーホースを収納することができる。
そして、ガイド部と湯水供給部との間にはトレイを設けなくても、ストッパーにより収納されるシャワーホース長を所定の長さに設定することができるので、たとえば、シャワーホース収納装置がカウンターで底面がなくかつ下方に空間がある場合であっても、本発明では、カウンター内に収納することができるので、カウンター下方の空間に収納したシャワーホースがはみ出して使用者の目に曝されることはない。
また、シャワーホース引き出し長さがさらに長く必要な際、トレイだけではシャワーホースを収納しきれないときにおいても、ガイド部と湯水供給部間に設けたループによりシャワーホース収納装置のスペース内で引き出し長さを補うことができる。
【０００９】
第３の発明では、前記ガイド部は、２軸方向に回転自在に形成していることを特徴とする請求項１または２に記載のシャワーホース収納装置とした。
【００１０】
これにより、シャワーホースの引き出し、収納の際にシャワーホースのあばれに追随するようにガイド部が動くことでシャワーホースをガイドすることができる。そのため、引出しならびに収納の際に、さほど力を加えずにスムーズに作業をすることができる。
【００１１】
【発明の実施の形態】
以下に図面を参照して本発明をより具体的に説明する。
本発明は、湯水供給部にシャワーホースの一端部を接続し、吐水具にシャワーホースの他端部を接続し、シャワーホース収納部に形成したシャワーホース取出口からこのシャワーホースを収納および引き出して吐水具から吐水可能にしたシャワーホース収納装置である。
そして、シャワーホース長の中間部をガイドするガイド部をシャワーホース収納部内に配置されている。さらに、このガイド部とシャワーホース取出口との間に位置するシャワーホースにはストッパーが付加されている。
また、ガイド部とシャワーホース取出口との間に位置するシャワーホースは、トレイ内に収納され、ガイド部と湯水供給部との間に位置するシャワーホースには付勢手段が付加されている。
【００１２】
また、ガイド部は、二軸方向に回転自在のガイド部とすることで、シャワーホースの収納時にシャワーホースのあばれを吸収してシャワーホースを適切にガイドすることができるので大きな抵抗を受けずに容易に収納することができる。
なお、ここで言う吐水具はシャワーホースを接続して吐水するものであればよく、例えばシャワーヘッド、プルアウト式の吐水口部などが挙げられる。また、湯水供給部とは、湯または水を供給するものであればよく、湯水混合水栓、単水栓、止水栓などが挙げられる。
また、ここではこの吐水具として浴室で用いるシャワーヘッドを例に挙げて説明する。
また、シャワーホース収納部としては、カウンター１やカウンター１内に設置したトレイなどが挙げられるが、これに限るものではない。
【００１３】
図１は本発明を使用する一例として浴室シャワー水栓を示したものである。
浴室に設けられたカウンター１があり、そこに水栓４および、台座５に納められたシャワーヘッド３が取り付けられている。カウンター１下部のパネル２の内部に水栓４の本体およびシャワーヘッド３が接続されているシャワーホース６が納められている。
【００１４】
図２にカウンター１下の空間を示す。
湯水供給部である水栓４にシャワーホース６の端部が接続されており、そのシャワーホース６がカウンター１に吊られたガイド部８を通り、トレイ９に納められている。
そしてトレイ９外となるガイド部８と水栓４との間に位置するシャワーホース６には、付勢手段である錘１０が付加されている。
【００１５】
通常身体にシャワーを浴びる場合には、トレイ９内に収納されているシャワーホース６を引き出して用いる。
そして、浴室を清掃するときにさらにシャワーホースを長く伸ばして利用したい場合には、ガイド部８と水栓４との間に位置するシャワーホース６分を引き出すようにする。ガイド部８と水栓４との間に位置するシャワーホース６には錘１０が付加されているので、その錘１０の荷重により収納する際にカウンター１内にシャワーホース６を引き込む力となる。そのため、シャワーホース６を長く引き出したときも、容易にシャワーホース６を収納することができるのである。
【００１６】
また、ガイド部８とシャワーホース取出口である台座５との間に位置するシャワーホース６にはストッパー７が付加されている。
このストッパー７により、所定の長さ以上はシャワーホース６が引き出されないようにしている。そのため、水栓４とシャワーホース６との接続部に引き出し時に余計な負荷が加わり接続不良を起こすようなことはない。
また、シャワーホース収納時においても、ガイド部８にストッパー７が当接するため、それ以上はガイド部８と水栓４との間に形成されるシャワーホース６のループが大きくならず、カウンター１内に確実に収納される。
【００１７】
なお、ここでは、ガイド部８は、二軸方向に回転自在のガイド部としさらに引き出し、収納性能を向上している。
このガイド部８の好ましい形態としては、図８に示すように、第１軸１５に対して左右対称に突起部１７Ａを有する門状部材１７と、この軸方向に回転するように設けられ、かつ、門状部材１７の内部に、第１軸１５と垂直方向に形成された第２軸１６に回転するように設けられたリング部１８とから構成されている。
そして、このリング部１８にシャワーホース６を通すことで、２軸方向に回転自在に動き、シャワーホース６のあばれやたわみに追随して、シャワーホース６の収納時や引出し時に余計な力がかからないようにしている。
【００１８】
次により具体的にシャワーホース６の引き出し、収納について図３乃至図６に基づき説明する。
図３にシャワーヘッド３を台座５に形成したシャワーホース取出口から引き出したときの状態を示す。
シャワーホース６を引き出した際、従来ではシャワーホースをいっぱいに引き出すと、水栓４と台座５の間でシャワーホース引っ張られ、ガイド部８や水栓４との接続部に負荷がかかる。
しかし、本発明においては、シャワーホース取出口を形成している台座５とガイド部８の間にストッパー７を付加することにより、シャワーホースが引っ張られた際も図５に示すように台座５と水栓４の間でシャワーホースが張り詰めた状態にならないため、ガイド部８に無理なテンションがかからないようにしてスムーズな引き出しを可能にしている。
【００１９】
図４にシャワーホース６を台座５に収納する状態を示す。
シャワーホース６は自由落下により台座５を通り、ガイド部８との間に図５に示すようにループ１２を形成する。そのループ１２はガイド部８によりトレイ９に導かれる。トレイ９の端まで納まったシャワーホース６は方向を変えて折り返しトレイ９に納まる。
また、さらにもう少し長くシャワーホースの引き出しが必要で、トレイ９に納まりきれない場合には、ガイド部８と水栓４との間に収納方向に付勢する付勢手段を設ける。
ここで、付勢手段とは、たとえば錘が考えられる。この場合、シャワーホースは錘の内側を通るので常にループの中央部に錘は存在する。
また、付勢手段として、錘の代わりに図６に示すように、内径をシャワーホースが摺動できるリング１３をループ１１に通し、リング１３をばね１４で引っ張るような構造でも可能である。
また、実際に通水時はシャワーホース内部の水が錘代わりとなり、自然とループ１１を形成する場合もある。
【００２０】
ここでは付勢手段が、錘１０の場合を例に挙げ説明する。図２のようにガイド部８より水栓４側にもう一つループ１１を設け、引き出し長さを補うことができる。このループ１１には筒状の中空の錘１０を通す。
この錘１０の荷重により、トレイ９に収納されるシャワーホース長分とは別に形成したシャワーホースのループ１１を収納する方向に可動する。
シャワーホース６を引き出し、ガイド部７とガイド部８間のループ１２がなくなるとガイド部８を通り、ループ１１のシャワーホースが引き出される。ループ１１は上に上がるが錘は常にループ中央部に位置し、常にループを形成しようと下向きに力がかかるようにしている。この時シャワーホース６のねじれはガイド部８の回転で矯正する。
【００２１】
シャワーホースを収納する際はまず、ループ１１中央部の錘１０によりループ１１を大きくしながらシャワーホース６を引き戻し、残りのシャワーホース６はトレイ９内に収納される。
この際にループ１１が大きくなり過ぎるとループの下端がカウンター１下方に位置する空間の底面（たとえば浴室の床面）に当たって音がしたり、ループ１２を形成することなく収納部外でシャワーホースがはみ出してしまうおそれがある。
そこで、ある程度ループ１１が形成された後、ストッパー７がガイド部８に当たり、ループ１１の形成を中断しループ１２を形成させ、シャワーホースを収納部に収納させる。
【００２２】
【発明の効果】
本発明の効果としては、浴室をはじめとしていろいろな場所に設置するシャワーホース引き出しタイプのシャワーホース収納装置において、使用時にシャワーホースを引き出し、使用後に収納するにあたり、シャワーホースがシャワーホース収納部にスムーズに納まることを可能とした。カウンター下などの収納部の空間がある程度狭い場合においても対応できる。また、身体のシャワー浴だけでなく浴室などの清掃に用いるときなどのシャワーホース引き出し長さがさらに必要な場合にも好適なシャワーホース収納装置を提供できる。
【図面の簡単な説明】
【図１】本件発明の実施場所の一例を示す。
【図２】本件発明における実施の形態を示す。
【図３】本件発明のシャワーホース引出し時の状態を示す。
【図４】本件発明のシャワーホース収納時の状態を示す。
【図５】本件発明におけるガイド部間のシャワーホース状態の変位を示す。
【図６】本件発明の付勢手段の構造を示す。
【図７】本件発明のガイド部の作動例を示す。
【符号の説明】
１  カウンター
２  パネル
３  シャワーヘッド
４  水栓
５  台座
６  シャワーホース
７  ストッパー
８  ガイド部
９  トレイ
１０  錘
１１  ループ
１２  ループ
１３  リング
１４  ばね
１５  第１軸
１６  第２軸
１７  門状部材
１７Ａ  突起部
１８  リング部
【図１】
2004229842.tif 000003
【図２】
2004229842.tif 000004
【図３】
2004229842.tif 000005
【図４】
2004229842.tif 000006
【図５】
2004229842.tif 000007
【図６】
2004229842.tif 000008
【図７】
2004229842.tif 000009